(57)【要約】      （修正有）【課題】夾雑物の除去作業にかかる手間や時間を減らすことができ、使い捨てに適した夾雑物捕集体、また、これを用いた遠心分離機を提供する。【解決手段】夾雑物捕集体１は、遠心分離機２における回転容器２１の内側に配置され、回転容器２１に供給される油中の夾雑物を遠心分離により捕集するためのものである。夾雑物捕集体１は、筒状部１０１と筒状部１０１の一方の開口端を塞ぐ底部１０２とを備えた捕集体本体１０を有している。捕集体本体１０は、紙類より形成されており、筒状部１０１と底部１０２とは一体化されている。捕集体本体１０は、圧縮されている構成とすることができる。また、捕集体本体１０は、表面に、耐油性樹脂より構成されるコーティング層を有する構成とすることができる。【選択図】図１
0003230097.tif 000002
【実用新案登録請求の範囲】
【請求項１】
遠心分離機における回転容器の内側に配置され、上記回転容器に供給される油中の夾雑物を遠心分離により捕集するための夾雑物捕集体であって、
筒状部と上記筒状部の一方の開口端を塞ぐ底部とを備えた捕集体本体を有しており、
上記捕集体本体は、紙類より形成されており、上記筒状部と上記底部とが継ぎ目なく一体化されている、夾雑物捕集体。
【請求項２】
上記捕集体本体の底部には、上記回転容器の底壁から突出する突出部を覆うための覆い部が形成されている、請求項１に記載の夾雑物捕集体。
【請求項３】
上記捕集体本体は、パルプモールド成型体より構成されており、
上記捕集体本体は、圧縮されている、請求項１または２に記載の夾雑物捕集体。
【請求項４】
上記捕集体本体の表面に、耐油性樹脂より構成されるコーティング層を有する、請求項１〜３のいずれか１項に記載の夾雑物捕集体。
【請求項５】
上記耐油性樹脂は、不飽和ポリエステル樹脂である、請求項４に記載の夾雑物捕集体。
【請求項６】
上記捕集体本体の外側面に、上記コーティング層が形成されている、請求項４または５に記載の夾雑物捕集体。
【請求項７】
上記紙類には、樹脂が混合されている、請求項１〜６のいずれか１項に記載の夾雑物捕集体。
【請求項８】
上記捕集体本体の外側面にだけ、耐油性樹脂より構成されるコーティング層が形成されており、
上記紙類には、樹脂が混合されている、請求項３に記載の夾雑物捕集体。
【請求項９】
請求項１〜８のいずれか１項に記載の夾雑物捕集体を有する、遠心分離機。
【考案の詳細な説明】
【技術分野】
【０００１】
本考案は、夾雑物捕集体および遠心分離機に関する。
【背景技術】
【０００２】
従来、鍛造加工油、油圧作動油、研磨加工油、プレス加工油、研削油等の油を、遠心分離機の回転容器に供給し、比重の軽い油と比重の重い夾雑物とを遠心力によって分離することで、使用済み油を浄化することが行われている。回転容器に付着した夾雑物は、通常、ヘラ等で掻き取ることによって除去されている。
【０００３】
夾雑物の取り除き作業を簡素化するため、例えば、特許文献１には、オーバーフロー型の遠心分離機の回転容器の内側に、縦じまの細かい凹凸を持った紙製円筒体を装着し、この紙製円筒体に油中の夾雑物を捕集させる技術が開示されている。
【先行技術文献】
【特許文献】
【０００４】
【特許文献１】特公平５−７４４１６号公報
【考案の概要】
【考案が解決しようとする課題】
【０００５】
しかしながら、従来技術では、紙製円筒体を用いているため、回転容器の底壁に少なからず夾雑物が付着する。そのため、従来技術では、紙製円筒体にて夾雑物を捕集するにも関わらず、回転容器の底壁に付着した夾雑物をヘラ等で掻き取って除去しなければならない。この際、回転容器の底壁に夾雑物の掻き取り残りがあると、浄化した油に夾雑物が再び混入するおそれがある。そのため、作業者は、回転容器の底壁に付着した夾雑物の除去作業を丁寧に実施しなければならず、夾雑物の除去作業にかかる手間や時間を減らすには限界があった。
【０００６】
また、回転容器の内側に袋状のゴム容器を装着した場合には、油の熱および大きな遠心力によってゴム容器が回転容器にくっついてしまう。そのため、ゴム容器は、夾雑物の除去作業時における取り外しが困難である。それ故、ゴム容器では、夾雑物の除去作業にかかる手間や時間を減らすことが難しい。また、夾雑物を捕集したゴム容器は、廃棄性が悪く、使い捨てに適しているとはいえない。
【０００７】
本考案は、上記背景に鑑みてなされたものであり、従来に比べ、夾雑物の除去作業にかかる手間や時間を減らすことができ、使い捨てに適した夾雑物捕集体、また、これを用いた遠心分離機を提供しようとするものである。
【課題を解決するための手段】
【０００８】
本考案の一態様は、遠心分離機における回転容器の内側に配置され、上記回転容器に供給される油中の夾雑物を遠心分離により捕集するための夾雑物捕集体であって、
筒状部と上記筒状部の一方の開口端を塞ぐ底部とを備えた捕集体本体を有しており、
上記捕集体本体は、紙類より形成されており、上記筒状部と上記底部とが継ぎ目なく一体化されている、夾雑物捕集体にある。
【０００９】
本考案の他の態様は、上記夾雑物捕集体を有する、遠心分離機にある。
【考案の効果】
【００１０】
別体の筒状部と底部とを用い、筒状部に底部を単に嵌め込んで捕集体を構成した場合、遠心力によって底部が持ち上がり、底部が抜けてしまうことがある。また、底部が抜けなかったとしても、強い遠心力によって嵌め込みによる隙間から油が顕著に漏れ出す。これに対し、上記夾雑物捕集体は、筒状部と筒状部の一方の開口端を塞ぐ底部とを備えた捕集体本体を有しており、捕集体本体は、筒状部と底部とが一体化されている。そのため、上記夾雑物捕集体では、底部が抜けたり、底部と筒状部との隙間から油が漏れ出したりすることがない。したがって、上記夾雑物捕集体によれば、回転容器の内周壁および底壁の両方に油が付着するのを抑制することができ、従来に比べ、夾雑物の除去作業にかかる手間や時間を減らすことができる。また、捕集体本体は、紙類より形成されている。そのため、夾雑物が付着した上記夾雑物捕集体を回転容器から取り外し、そのまま廃棄することができる。したがって、上記夾雑物捕集体は、使い捨てに適している。
【００１１】
上記遠心分離機は、上記夾雑物捕集体を用いているので、夾雑物の除去作業にかかる手間や時間を減らすことができる。
【図面の簡単な説明】
【００１２】
【図１】実施例１の夾雑物捕集体、これを有する実施例１の遠心分離機の模式的な説明図である。
【図２】実施例１の夾雑物捕集体の正面図である。
【図３】実施例１の夾雑物捕集体の平面図である。
【図４】実施例１の夾雑物捕集体のＩＶ−ＩＶ線矢視断面図である。
【図５】図４に対応する、実施例２の夾雑物捕集体の断面図である。
【図６】図４に対応する、実施例３の夾雑物捕集体の断面図である。
【図７】図４に対応する、実施例４の夾雑物捕集体の断面図である。
【図８】図４に対応する、実施例６の夾雑物捕集体の断面図である。
【考案を実施するための形態】
【００１３】
上記夾雑物捕集体は、遠心分離機における回転容器の内側に配置され、回転容器に供給される油中の夾雑物を遠心分離により捕集するためのものである。夾雑物を含む油は、不水溶性油、水溶性油のいずれであってもよい。油としては、例えば、鍛造加工油、油圧作動油、研磨加工油、プレス加工油、研削加工油、潤滑油などを例示することができる。
【００１４】
上記夾雑物捕集体は、筒状部と筒状部の一方の開口端を塞ぐ底部とを備えた捕集体本体を有している。捕集体本体は、筒状部と底部とが一体化されている。つまり、捕集体本体は、筒状部から底部が外れないように両者が一体的に繋がっている。筒状部と底部とは、具体的には、継ぎ目なく一体化されている。この構成によれば、筒状部と底部との間に継ぎ目がないので、継ぎ目からの油の漏出を確実に抑制することが可能となる。
【００１５】
捕集体本体は、紙類より形成されている。紙類としては、古紙パルプ、木材パルプ、ダンボールなどを例示することができる。捕集体本体は、具体的には、パルプモールド成型体より構成することができる。この構成によれば、パルプモールド成型法を用い、古紙パルプを含むパルプ原料にて筒状部と底部とを一体成型することで、比較的簡単に有底筒状を呈する継ぎ目のない捕集体本体を形成することができる。また、この構成によれば、夾雑物捕集後の廃棄性に優れた夾雑物捕集体が得られる。
【００１６】
上記夾雑物捕集体において、捕集体本体は、圧縮されている構成とすることができる。この構成によれば、捕集体本体を構成する紙類の緻密性が向上するので、上記夾雑物捕集体の形状安定性を向上させることができる。また、捕集体本体の表面凹凸が低減され、表面が平坦化される。そのため、この構成によれば、回転容器の内周壁および底壁に対する上記夾雑物捕集体の密着性を向上させることができる。それ故、この構成によれば、回転容器の回転時に空回りし難い夾雑物捕集体が得られる。また、この構成によれば、回転容器から夾雑物捕集体を取り外して廃棄する際に、回転容器にくっつくことなく取り外しが容易な夾雑物捕集体が得られる。なお、捕集体本体は、具体的には、捕集体本体の厚み方向に沿う方向（捕集体本体の表面に垂直な方向）で圧縮されている構成とすることができる。捕集体本体を圧縮する方法としては、プレス成形などを例示することができる。
【００１７】
上記夾雑物捕集体は、捕集体本体の表面に、耐油性樹脂より構成されるコーティング層を有する構成とすることができる。捕集体本体は紙類よりなるため、使用するにつれて油がしみ込み、捕集体本体を通り抜けた油が回転容器へ付着して、上記夾雑物捕集体を取り外した際における回転容器の外観を損なうことが考えられる。上記構成によれば、コーティング層によって夾雑物捕集体の外表面への油のしみ出しが抑制される。そのため、上記構成によれば、上記夾雑物捕集体を取り外した際における回転容器の容器内の外観に優れる。また、上記構成によれば、コーティング層によって捕集体本体が補強されるので、夾雑物捕集体の強度向上にも有利である。
【００１８】
この際、コーティング層は、捕集体本体の外側面に形成されていてもよいし、捕集体本体の内側面に形成されていてもよいし、捕集体本体の内側面および外側面の両方に形成されていてもよい。とりわけ、捕集体本体の外側面にだけコーティング層が形成されている構成によれば、コーティング層により上記夾雑物捕集体の外表面への油のしみ出しが抑制される。これに加え、上記夾雑物捕集体の内側においてコーティング層と油成分中の添加剤との反応によって生成した生成物等が浄化した油に混入するおそれもない。そのため、この構成によれば、浄化した油の品質向上に有利である。
【００１９】
耐油性樹脂としては、例えば、不飽和ポリエステル樹脂などを好適なものとして挙げることができる。不飽和ポリエステル樹脂は、硬化剤による硬化によって高い耐油性を発揮することができ、硬質なコーティング層を形成することができる。そのため、この構成によれば、上述したコーティング層による効果を十分に発揮させることができる。なお、コーティング層を構成する耐油性樹脂は、その一部または全部が捕集体本体の表面よりも内部に含浸されていてよいし、含浸されていなくてもよい。前者の構成によれば、捕集体本体とコーティング層との密着性向上に有利な夾雑物捕集体が得られる。
【００２０】
上記夾雑物捕集体では、捕集体本体を構成する紙類に樹脂が混合されている構成とすることができる。この構成によれば、紙類の微小な隙間が樹脂により塞がれるので、捕集体本体への油のしみ込みが抑制され、夾雑物捕集体の外表面への油のしみ出し抑制に有利である。また、この構成によれば、樹脂により紙類の強度が向上し、捕集体本体の強度向上に有利である。とりわけ、樹脂が混合された紙類にて捕集体本体が構成されており、かつ、捕集体本体の表面に上述したコーティング層を有する場合には、両者による相乗効果によって、夾雑物捕集体の外表面への油のしみ出し抑制効果、捕集体本体の補強効果を確実なものとすることができる。上記に加え、さらに、捕集体本体が圧縮されている場合には、上記相乗効果をより確実なものとすることができる。
【００２１】
上記樹脂としては、捕集体本体の成形性を損なわないものであればいずれのものでも適用することができる。また、捕集体本体をパルプモールド成型体より構成する場合、上記樹脂は、パルプモールド成型による成型性などの観点から、親水性を有していることが好ましい。また、上記樹脂は、熱をかけることによって溶融させた後、再凝固させることで紙類の隙間を塞ぎやすくなるなどの観点から、熱可塑性樹脂であることが好ましい。上記樹脂としては、具体的には、例えば、ポリエチレン、ポリプロピレン等のポリオレフィン系樹脂などを例示することができる。これらは１種または２種以上併用することができる。また、捕集体本体に占める樹脂の含有量は、樹脂の添加による効果を得る観点から、好ましくは、５質量％以上、より好ましくは、１０質量％以上、さらに好ましくは、１５質量％以上とすることができる。また、捕集体本体に占める樹脂の含有量は、紙類の微小な隙間の閉塞性、コスト、成形性などの観点から、好ましくは、５０質量％以下、より好ましくは、４０質量％以下、さらに好ましくは、３０質量％以下とすることができる。
【００２２】
上記夾雑物捕集体において、捕集体本体の厚みは、好ましくは、１ｍｍ以上５ｍｍ以下、より好ましくは、１．５ｍｍ以上３ｍｍ以下とすることができる。捕集体本体の厚みが１ｍｍ以上であると、回転容器内への上記夾雑物捕集体の装着、回転容器からの上記夾雑物捕集体の脱着時等に上記夾雑物捕集体が破損し難くなる。また、上記夾雑物捕集体の形状保持性も確保しやすくなる。一方、捕集体本体の厚みが５ｍｍ以下であると、パルプモールド成型による成形性、プレス成形性の確保等に有利である。
【００２３】
上記夾雑物捕集体において、捕集体本体は、開口端縁に沿ってパッキン部材が設けられる構成とすることができる。遠心分離機では、蓋部を有する回転容器が一般的に使用される。そのため、上記構成によれば、パッキン部材により、捕集体本体の開口端縁と回転容器の蓋部との間の隙間から油が漏れるのを抑制することができる。パッキン部材は、ゴムなどより構成することができる。パッキン部材は、具体的には、捕集体本体の開口端縁が嵌め込まれる嵌合溝を有しているとよい。この構成によれば、パッキン部材の取り付け、取り外しができるので、パッキン部材を再利用可能な夾雑物捕集体が得られる。
【００２４】
なお、上述した各構成は、上述した各作用効果等を得るなどのために必要に応じて任意に組み合わせることができる。
【実施例】
【００２５】
以下、実施例の夾雑物捕集体および遠心分離機について、図面を用いて説明する。なお、同一部材については同一の符号を用いて説明する。
【００２６】
（実施例１）
実施例１の夾雑物捕集体および遠心分離機について、図１〜図４を用いて説明する。図１に示されるように、本例の遠心分離機２は、本例の夾雑物捕集体１を有している。
【００２７】
本例では、遠心分離機２は、具体的には、アルミニウム製の釜等より構成される回転容器２１と、回転容器２１の内側に配置された夾雑物捕集体１と、回転容器２１を回転させるためのモータ２２と、モータ２２の回転力を回転容器２１の回転軸２３へ伝達する駆動ベルト２４と、回転容器２１を収容する外装ケース２５とを有している。なお、外装ケース２５は、内部に区画壁２５１を有しており、区画壁２５１の内周側に、回転容器２１が配設されている。また、外装ケース２５のケース天板２５０は、開閉可能に構成されている。回転容器２１は、環状に形成された蓋部２１１が上部に取り付けられており、蓋部２１１を外すことにより、夾雑物捕集体１を装着、脱着可能とされている。加工設備等の油タンク３に貯留された浄化されるべき油は、ポンプ２６１等によって回転容器２１の上部に送られる。浄化すべき油を供給する配管２７１の開口端は、蓋部２１１の略中央部の上方に配置されており、浄化すべき油は、蓋部２１１の略中央部に形成された穴部２１２を通って夾雑物捕集体１内へ供給される。一方、遠心力によって夾雑物捕集体１の内側面に夾雑物を付着させることで浄化された油は、浄化された油を吸い込む配管２７２を介して回転容器２１の上部から区画壁２５１と外装ケース２５との間の空間２５２へ供給され、外装ケース２５に形成された油排出口２５３を介して油タンク３へ送られる。なお、配管２７２における油の吸い込み側の開口端は、回転容器２１の内周壁２１３側に向けられて配置されている。なお、回転容器２１は、底壁２１４の中心部分が容器内方に向かって突出している。この突出部２１５に、回転軸２３が接続される。
【００２８】
本例の夾雑物捕集体１は、遠心分離機２における回転容器２１の内側に配置され、回転容器２１に供給される油中の夾雑物を遠心分離により捕集するためのものである。夾雑物捕集体１は、筒状部１０１と筒状部１０１の一方の開口端を塞ぐ底部１０２とを備えた有底筒状の捕集体本体１０を有している。捕集体本体１０は、紙類より形成されており、筒状部１０１と底部１０２とは継ぎ目なく一体化されている。
【００２９】
本例では、遠心分離機２における回転容器２１の底壁２１４の中心部分に突出部２１５が形成されている例が示されている。そのため、本例の夾雑物捕集体１における捕集体本体１０の底部１０２には、回転容器２１の底壁２１４から突出する突出部２１５を覆うための覆い部１０３が形成されている。なお、捕集体本体１０の筒状部１０１は、回転容器２１の内周壁２１３に若干のクリアランスを持って密着可能とされている。また、捕集体本体１０の底部１０２は、回転容器２１の底壁２１４に若干のクリアランスを持って密着可能とされている。
【００３０】
本例では、捕集体本体１０は、具体的には、パルプモールド成型法を用いて、古紙パルプより形成されている。また、捕集体本体１０は、圧縮された状態とされている。本例では、捕集体本体１０は、古紙パルプ原料をパルプモールド成型して得られた成型体を乾燥後、この乾燥体を１５０℃の温度に調温された金型にてプレス成形して圧縮することによって形成されている。捕集体本体１０の厚みは、具体的には、例えば、２ｍｍとすることができる。
【００３１】
本例の夾雑物捕集体１は、筒状部１０１と筒状部１０１の一方の開口端を塞ぐ底部１０２とを備えた捕集体本体１０を有しており、捕集体本体１０は、筒状部１０１と底部１０２とが一体化されている。そのため、本例の夾雑物捕集体１では、底部１０２が抜けたり、底部１０２と筒状部１０１との隙間から油が漏れ出したりすることがない。したがって、本例の夾雑物捕集体１によれば、回転容器２１の内周壁２１３および底壁２１４の両方に油が付着するのを抑制することができ、従来に比べ、夾雑物の除去作業にかかる手間や時間を減らすことができる。また、捕集体本体１０は、紙類より形成されている。そのため、夾雑物が付着した本例の夾雑物捕集体１を回転容器２１から取り外し、そのまま廃棄することができる。したがって、本例の夾雑物捕集体１は、使い捨てに適している。
【００３２】
本例の遠心分離機２は、本例の夾雑物捕集体１を用いているので、夾雑物の除去作業にかかる手間や時間を減らすことができる。
【００３３】
（実施例２）
実施例２の夾雑物捕集体および遠心分離機について、図５を用いて説明する。本例の夾雑物捕集体１は、捕集体本体１０の表面に、耐油性樹脂より構成されるコーティング層１１を有している。本例では、具体的には、捕集体本体１０の外側面にコーティング層１１が形成されている。より具体的には、筒状部１０１の外側表面、底部１０２の外側表面にコーティング層１１が形成されている。また、耐油性樹脂は、具体的には、不飽和ポリエステル樹脂である。なお、耐油性樹脂としては、より具体的には、例えば、日本特殊塗料社製、「手積用ポリエステル樹脂」などを用いることができる。
【００３４】
本例の夾雑物捕集体１によれば、コーティング層１１によって夾雑物捕集体１の外表面への油のしみ出しが抑制される。そのため、本例の夾雑物捕集体１によれば、夾雑物捕集体１を取り外した際における回転容器２１の容器内の外観に優れる。また、本例の夾雑物捕集体１によれば、コーティング層１１によって捕集体本体１０が補強されるので、夾雑物捕集体１の強度向上に有利である。さらに、本例の夾雑物捕集体１によれば、夾雑物捕集体１の内側においてコーティング層１１と油成分中の添加剤との反応によって生成した生成物等が浄化した油に混入するおそれもない。そのため、本例の夾雑物捕集体１によれば、浄化した油の品質向上に有利である。その他の構成および作用効果は、実施例１と同様である。
【００３５】
本例の遠心分離機２は、本例の夾雑物捕集体１を有している。その他の構成および作用効果は、実施例１と同様である。
【００３６】
（実施例３）
実施例３の夾雑物捕集体および遠心分離機について、図６を用いて説明する。本例の夾雑物捕集体１は、捕集体本体１０の表面に、耐油性樹脂より構成されるコーティング層１１を有している。本例では、具体的には、捕集体本体１０の内側面にコーティング層１１が形成されている。より具体的には、筒状部１０１の内側表面、底部１０２の内側表面にコーティング層１１が形成されている。その他の構成は、実施例２と同様である。また、本例の夾雑物捕集体１は、コーティング層１１と油成分中の添加剤との反応による生成物等が浄化した油に混入するおそれの有無を除いて、実施例２と同様の作用効果を奏する。
【００３７】
本例の遠心分離機２は、本例の夾雑物捕集体１を有している。その他の構成および作用効果は、実施例２と同様である。
【００３８】
（実施例４）
実施例４の夾雑物捕集体および遠心分離機について、図７を用いて説明する。本例の夾雑物捕集体１は、捕集体本体１０の表面に、耐油性樹脂より構成されるコーティング層１１を有している。本例では、具体的には、捕集体本体１０の外側面および内側面の両方にコーティング層１１が形成されている。より具体的には、筒状部１０１の外側表面および内側表面、底部１０２の外側表面および内側表面にコーティング層１１が形成されている。その他の構成および作用効果は、実施例３と同様である。
【００３９】
本例の遠心分離機２は、本例の夾雑物捕集体１を有している。その他の構成および作用効果は、実施例３と同様である。
【００４０】
（実施例５）
実施例５の夾雑物捕集体および遠心分離機について説明する。本例の夾雑物捕集体１は、捕集体本体１０を構成する紙類に樹脂が混合されている。樹脂は、具体的には、親水性を有するポリオレフィン系樹脂である。捕集体本体１０に占める樹脂の含有量は、具体的には、例えば、２５質量％とすることができる。その他の構成は、実施例２と同様である。
【００４１】
本例の夾雑物捕集体１によれば、紙類の微小な隙間が樹脂により塞がれるので、捕集体本体１０への油のしみ込みが抑制され、夾雑物捕集体１の外表面への油のしみ出し抑制に有利である。また、樹脂により紙類の強度が向上するため、捕集体本体１０の強度向上に有利である。その他の作用効果は、実施例２と同様である。
【００４２】
本例の遠心分離機２は、本例の夾雑物捕集体１を有している。その他の構成および作用効果は、実施例２と同様である。
【００４３】
（実施例６）
実施例６の夾雑物捕集体および遠心分離機について、図８を用いて説明する。本例の夾雑物捕集体１において、捕集体本体１０は、開口端縁に沿ってパッキン部材１２を有している。パッキン部材１２は、ゴム製であり、捕集体本体１０の開口端縁が嵌め込まれる嵌合溝１２１を有している。
【００４４】
本例の夾雑物捕集体１によれば、パッキン部材１２により、捕集体本体１０の開口端縁と回転容器２１の蓋部２１１との間の隙間から油が漏れるのを抑制することができる。その他の構成および作用効果は、実施例２と同様である。
【００４５】
本例の遠心分離機２は、本例の夾雑物捕集体１を有している。その他の構成および作用効果は、実施例２と同様である。
【００４６】
以上、本考案の実施例について詳細に説明したが、本考案は上記実施例に限定されるものではなく、本考案の趣旨を損なわない範囲内で種々の変更が可能である。
【符号の説明】
【００４７】
１  夾雑物捕集体
１０  捕集体本体
１０１  筒状部
１０２  底部
２  遠心分離機
２１  回転容器
【図１】
0003230097.tif 000003
【図２】
0003230097.tif 000004
【図３】
0003230097.tif 000005
【図４】
0003230097.tif 000006
【図５】
0003230097.tif 000007
【図６】
0003230097.tif 000008
【図７】
0003230097.tif 000009
【図８】
0003230097.tif 000010